(57)【要約】【課題】温度に基づく環境変化に対応する情報をユーザに提供すること。【解決手段】ネットワークに接続可能なサーバは、乾球温度とグローブ温度とを含む温度計測情報を前記ネットワークを介して取得し、その取得する温度計測情報に基づいて得られる環境に関連する環境関連情報をネットワークを介してユーザに提供する。【選択図】図９
2014052698.tif 000002
【特許請求の範囲】
【請求項１】
ネットワークに接続可能なサーバであって、
観測地点の乾球温度とグローブ温度とを含む温度計測情報を前記ネットワークを介して取得する温度計測情報取得手段と、
前記温度計測情報取得手段で取得する温度計測情報に基づいて得られる環境に関連する環境関連情報を前記ネットワークを介してユーザに提供する提供手段と、
を備えるサーバ。
【請求項２】
前記ユーザの情報処理装置が、前記温度計測情報の取得源となった温度計測装置と関連付けて登録されており、
前記提供手段は、前記情報処理装置に前記環境関連情報を提供する、請求項１に記載のサーバ。
【請求項３】
予め設定された設定条件に前記温度計測情報が合致したか否かを判断し、合致したと判断したきには、前記設定条件に応じた環境関連情報を取得する環境関連情報取得手段を備え、
前記提供手段は、前記環境関連情報取得手段で取得した環境関連情報を前記ネットワークを介してユーザに提供する、請求項１に記載のサーバ。
【請求項４】
前記温度情報取得手段は、複数の異なる場所に設置された温度計測装置からそれぞれ前記温度計測情報を取得するものであり、
前記設定条件は、温度計測情報に基づいて快適な環境であるか否かを決定するための条件であり、
前記環境関連情報は、前記温度計測情報を取得した温度計測装置の設置場所を示す設置場所情報と当該設置場所が快適な環境にあるか否かを示す情報を含む、請求項３に記載のサーバ。
【請求項５】
前記温度計測情報取得手段は、前記乾球温度を計測する乾球温度計測装置及び前記グローブ温度を計測するグローブ温度計測装置が互いに近傍となるように一体的に構成された温度計測装置から前記温度計測情報を取得する、請求項１乃至４のいずれか一項に記載のサーバ。
【請求項６】
ネットワークに接続可能なコンピュータに、
乾球温度とグローブ温度とを含む温度計測情報を前記ネットワークを介して取得する手段と、
前記取得する温度計測情報に基づいて得られる環境に関連する環境関連情報を前記ネットワークを介してユーザに提供する手段と、
を実現させるプログラム。
【発明の詳細な説明】
【技術分野】
【０００１】
本発明は、サーバ及びプログラムに関する。
【背景技術】
【０００２】
一般に住居内の温度を調整する技術が知られている。例えば定期的に測定される室内の温度測定値と、推奨値と、これら温度測定値と推奨値との差分から特定される警告データとを取得し、温度測定値と、推奨値と、警告データとから表示データ、例えば「少し冷やしすぎです。エアコンの設定値を上げてください。」を生成し、この表示データをモニタに表示する技術である（下記特許文献１参照）。このように設定温度の調節を促されることにより、ユーザは、住居内の温度を調整することが可能になる。
【先行技術文献】
【特許文献】
【０００３】
【特許文献１】特開２００９−９２２６７号公報
【発明の概要】
【発明が解決しようとする課題】
【０００４】
上記特許文献１の記載の技術では、実際に測定した温度に基づいて住居内の温度を調整することが可能になる。しかしながら、温度計で測定する温度に基づく温度調整では十分な温度調整ができない場合がある。これは、一般的な温度計によって測定される気温（乾球温度）が、ユーザが実際に感じる体感温度と異なる場合があるためである。例えば、住居外から差し込む輻射熱（例えば照り返し）の影響を受け、住居内の体感温度が住居内の温度より高くなることがある。このような場合に、住居内の温度に基づいて空気調和機の温度設定を調整しても、体感温度に対しては不十分な温度調整に過ぎない。このように住居内の温度を計測し、その計測した温度に基づいて温度調整するだけではユーザが快適な環境で過ごすことはできない場合がある。
【０００５】
また、気温が高すぎ或いは低すぎて不快な環境にあっても、気温を調整できない場合もある。例えば、公園等においては、温度を調整することはできない。しかしながら、公園等においても、全ての場所が不快な環境にあるわけではない。例えば日差しを遮ることができる場所は気温が高くても快適に過ごせる環境になっている。
【０００６】
本発明は、上記事情に鑑みてなされたものであり、その目的は、温度に基づく環境変化に対応する情報をユーザに提供するサーバ及びプログラムを提供することにある。
【課題を解決するための手段】
【０００７】
上記課題を解決するために本発明のサーバは、ネットワークに接続可能なサーバであって、乾球温度とグローブ温度とを含む温度計測情報をネットワークを介して取得する温度計測情報取得手段と、温度計測情報取得手段で取得する温度計測情報に基づいて得られる環境に関連する環境関連情報をネットワークを介してユーザに提供する提供手段と、を備えることを特徴とする。
【０００８】
また、本発明のプログラムは、ネットワークに接続可能なサーバに、観測地点の乾球温度とグローブ温度とを含む温度計測情報をネットワークを介して取得する手段と、取得する温度計測情報に基づいて得られる環境に関連する環境関連情報をネットワークを介してユーザに提供する手段とを実現させるものである。
【０００９】
このようなサーバ及びプログラムによると、乾球温度のみならず、この乾球温度を計測した観測地点と同一観測地点のグローブ温度も利用して環境の状態を把握することができるので、観測地点の環境の状態をより正確に把握することができる。例えば、住居内の乾球温度とグローブ温度とが温度計測情報として取得されている場合には、気温と体感温度とに基づいて住居内の温度を正確に把握することができる。このため、例えば、「設定温度を○○度にして下さい」という旨の正確な環境関連情報を提供することが可能になる。この環境関連情報の提供を受け、ユーザは、住居内が快適になるように空気調和機の温度を設定することが可能になる。
【００１０】
さらに、ユーザの情報処理装置を温度計測情報の取得源となった温度計測装置と関連付けて登録するようにし、上記提供手段は、その情報処理装置に環境関連情報を提供するようにしても良い。
【００１１】
このようにすると、温度計測装置、言い換えれば観測地点と関連付けて登録された情報処理装置へ環境関連情報を提供できる。例えば、温度計測装置が設置された住居内の温度が所定温度より高くなった場合に、「温度が〜度になっています。」という旨の注意を喚起する旨の環境関連情報を、予め設定された携帯情報処理装置に提供することができる。
【００１２】
したがって、例えば温度計測装置を親の住居に設置し、子の携帯電話端末を環境関連情報の提供先に設定しておくことにより、夏季において、住居内の温度が高くなっていることを子が認識できるため、親へ連絡を取ることが可能になり、環境を気づかうことが可能になる。
【００１３】
さらに、サーバは、予め設定された設定条件に温度計測情報が合致したか否かを判断し、合致したと判断したきには、設定条件に応じた環境関連情報を取得する環境関連情報取得手段を備え、提供手段は、環境関連情報取得手段で取得した環境関連情報を前記ネットワークを介してユーザに提供するようにしても良い。
【００１４】
このように構成すると、環境関連情報を取得する条件を自由に設定することが可能になる。また、設定条件が自由に設定できるため、温度計測装置の設置場所及び数等に応じた条件の設定が可能になる。
【００１５】
さらに、温度計測情報取得手段は、複数の異なる場所に設置された温度計測装置からそれぞれ温度計測情報を取得するものであり、設定条件は、温度計測情報に基づいて快適な環境であるか否かを決定する条件であり、環境関連情報は、温度計測情報を取得した温度計測装置の設置場所を示す設置場所と当該設置場所が快適な環境にあるか否かを示す情報を含むようにしても良い。
【００１６】
このように構成すると、温度計測装置の設置場所と共に当該設置場所が快適な環境にあるか否かをユーザに提供することが可能になる。例えば、温度計測装置が公園内の複数の場所に設置されている場合、ユーザはサーバから提供される環境関連情報に基づいていずれの場所が快適な環境にあるかを知ることが可能になる。
【００１７】
さらに、温度計測情報取得手段は、乾球温度を計測する乾球温度計測装置及びグローブ温度を計測するグローブ温度計測装置が互いに近傍となるように一体的に構成された温度計測装置から温度計測情報を取得するようにしても良い。
【００１８】
このようにすると、同一空間の温度を計測方法の異なる２つの温度（乾球温度及びグローブ温度）で同時に計測できるため、当該空間の温度状況を精度よく把握することができる。
【発明の効果】
【００１９】
本発明のサーバ及びプログラムによると温度に基づく環境変化に対応する情報をユーザに提供することができる。
【図面の簡単な説明】
【００２０】
【図１】本発明の第１の実施の形態に係るネットワーク全体の構成を示す図である。
【図２】同実施の形態に係るサーバの構成を示す図である。
【図３】同実施の形態に係る温度計測の構成を示す図である。
【図４】同実施の形態に係る温度計測装置の外観を示す図である。
【図５】同実施の形態に係る温度計測情報記憶部に記憶される情報の例を示す図である。
【図６】同実施の形態に係る温度計測情報記憶部に記憶される情報の例を示す図である。
【図７】同実施の形態に係る設定条件記憶部に記憶される情報の例を示す図である。
【図８】同実施の形態に係る提供先記憶部に記憶される情報の例を示す図である。
【図９】同実施の形態に係るＣＰＵが実行する処理の例を示す図である。
【図１０】本発明の第２の実施の形態に係る所定の領域内のエリア及び温度計測装置の設置場所を示す図である。
【図１１】同実施の形態に係る設定条件を示す図である。
【図１２】同実施の形態に係るウェブページのトップページを示す図である。
【図１３】同実施の形態に係るグループトップページを示す図である。
【図１４】同実施の形態に係る所定の領域内の環境を示す図である。
【図１５】同実施の形態に係る乾球温度及びグローブ温度による点グラフを示す図である。
【発明を実施するための形態】
【００２１】
以下、本発明の各実施の形態について図面を参照しながら説明する。
【００２２】
（第１の実施の形態）
図１は、ネットワーク全体の構成を示す図である。図１に示すように、インターネット１に、ルータ２を介してウェブサーバ３（サーバ、コンピュータ）、ルータ４を介して温度計測システム５、及びルータ６を含む基地局７が接続されている。基地局７は、例えば携帯電話機等の携帯情報端末（情報処理装置）８と無線通信を行なう。なお、図１においては温度計測システム５を１つしか図示していないが複数接続可能である。
【００２３】
ウェブサーバ３は、例えば温度計測システム５から送信される計測情報（温度計測情報）を取得し、当該取得した計測情報に基づいて、環境に関連する情報を取得する処理を行ない、当該処理結果を提供する。図２は、ウェブサーバ３の構成を示す図である。図２に示すように、ウェブサーバ３は、ＣＰＵ１１、ＲＯＭ１２、ＲＡＭ１３、時計部１４、インタフェース１５及び記憶部１６を有している。記憶部１６には、計測情報記憶部１７、設定条件記憶部１８、提供先記憶部１９及び地図記憶部２０が設けられている。
【００２４】
ＣＰＵ１１はＲＯＭ１２に格納されたプログラムを実行する。ＲＡＭ１３は、ＣＰＵ１１がＲＯＭ１２に格納されたプログラムを実行する際にワークエリアとして用いられる。時計部１４は、日時情報を生成する。インタフェース１５はインターネット１を介した情報の授受を制御する。計測情報記憶部１７、設定条件記憶部１８及び提供先記憶部１９に記憶される情報については後述し、また、地図記憶部２０に記憶される情報については第２の実施の形態で説明する。
【００２５】
温度計測システム５は、温度計測システム５が設置された場所（空間、観測地点）の温度等（乾球温度、湿度及びグローブ温度）を計測し、計測した温度等を計測情報としてウェブサーバ３に送信する。温度計測システム５内には、図１に示すように、ローカルエリアネットワーク（ＬＡＮ）９が構築されており、ＬＡＮ９には、ルータ４、制御装置２１、例えばパーソナルコンピュータ（ＰＣ：情報処理装置）２２が接続されている。また、温度計測システム５は、温度計測装置２３，２４を有しており、制御装置２１は、温度計測装置２３，２４とそれぞれ無線通信を行なうように構成されている。
【００２６】
図３は、温度計測システム５が温度等を計測するための構成を示す図である。なお、本第１の実施の形態においては、住居内（屋内）に温度計測装置２３及び住居外（屋外）に温度計測装置２４を設置し、住居内及び住居外の温度等を計測する場合を説明するが、これに限るものではない。また、温度計測装置２３，２４は共通の構成を有しているため、制御装置２１が温度計測装置２３から計測した温度等を計測する構成についてのみ説明し、温度計測装置２４についての説明を割愛することとする。
【００２７】
温度計測装置２３は、乾球温度（気温）及び湿度を計測する温度・湿度計測部３１、グローブ温度を計測するグローブ温度計測部３２、温度・湿度計測部３１及びグローブ温度計測部３２の温度等の計測をそれぞれ制御する計測制御部３３、計測制御部３３が温度・湿度計測部３１及びグローブ温度計測部３２を制御して定期的に又は所定のタイミング毎に計測した計測情報（温度、湿度、グローブ温度）を制御装置２１へ無線送信する無線送信部３５、及び計測制御部３３に電源を供給する電源部３４を備える。温度計測装置２３は、住居外でも設置可能にするため、例えば２個の単三電池により電源が供給可能となるように構成されている。
【００２８】
また、制御装置２１は、無線送信部３５が無線送信した計測情報を受信する無線受信部３６と、無線受信部３６が受信した計測情報をＬＡＮ９、インターネット１等を介してウェブサーバ３へ送信する制御をする制御部３７とを備えている。制御装置２１は、例えば住居内に設置されるため、ＡＣ電源により電源供給が可能となるように構成されている。
【００２９】
このように、温度計測システム５において、制御装置２１と温度計測装置２３，２４とは無線通信により計測情報の授受を行なうため、温度計測装置２３，２４は無線通信の届く範囲内で自由に設置が可能であり、温度計測装置２３，２４を設置する自由度が高くなっている。
【００３０】
次に、図４を参照して温度計測装置２３の外観構成を説明する。図４に示すように、水平方向に延びる棒状の支持部４１の両端に略球形状の球部が設けられ、さらに支持部４１の中央には垂直下方に延びる支柱４２が固着されている。支柱４２の下端は電源部３４に固定され、電源部３４は支柱台４３に固定されている。支持部４１の一方の球部内に温度及び湿度を計測する温度・湿度計測部３１が設けられ、他方の球部内にグローブ温度計測部３２が設けられている。
【００３１】
このように、温度計測装置２３は、温度・湿度計測部３１及びグローブ温度計測部３２が互いに近傍となるように一体的に構成されているため、同一空間の乾球温度及びグローブ温度を同時に計測できる。すなわち、温度計測装置２３は、時間的なズレを生じることなく乾球温度及びグローブ温度を計測することができると共に、物理的に距離が離れていない空間（例えば２０ｃｍ程度の距離しか離れていない空間）について乾球温度及びグローブ温度を計測することができるようになっている。
【００３２】
次に、図５及び図６を参照して計測情報記憶部１７（温度計測情報取得手段）について説明する。計測情報記憶部１７は、ＣＰＵ１１が、インターネット１を介して接続される温度計測システム５から、所定の時間毎に又は所定のタイミング毎に計測情報（乾球温度、湿度、及びグローブ温度）を取得したときに、当該計測情報を記憶するために用いられる。
【００３３】
図５及び図６に示すように、計測情報記憶部１７には、番号を記憶するフィールド１７１（１７１ａ，１７１ｂ）、グループ属性を記憶するフィールド１７２（１７２ａ，１７２ｂ）、温度計測装置番号を記憶するフィールド１７３（１７３ａ，１７３ｂ）、及び、計測情報（温度計測情報）を記憶するフィールド１７４（１７４ａ，１７４ｂ）が、それぞれ関連付けられて設けられている。
【００３４】
番号は、管理するグループを識別するための番号である。グループ属性は、グループ毎のタイプであり、例えば、“個人”、“グループ”である。温度計測装置番号は、温度計測装置を特定するための番号であり、例えば、“製造番号”である。計測情報は、例えば、所定の時間毎又は所定のタイミング毎の乾球温度、湿度及びグローブ温度である。
【００３５】
図５に示すように、グループ番号“Ｇ０００１”と関連付けて、例えば、グループ属性“個人”と、住居内及び住居外にそれぞれ設置される温度計測装置の製造番号と、当該温度計測装置によって計測された所定の時間毎の乾球温度、湿度及びグローブ温度が記憶される。また、図６に示すように、グループ番号“Ｇ００１１”と関連付けて、例えば、グループ属性“グループ”と、複数の箇所に設置される温度計測装置の製造番号と、当該温度計測装置によって計測された所定の時間毎の乾球温度、湿度及びグローブ温度が記憶される。
【００３６】
次に、図７を参照して設定条件記憶部１８について説明する。設定条件記憶部１８は、どのような条件を満たした場合に、どのような環境関連情報を提供するかという設定を記憶する。
【００３７】
図７に示すように、設定条件記憶部１８には、グループ番号を記憶するフィールド１８１、設定条件を記憶するフィールド１８２及び環境関連情報を記憶するフィールド１８３が設けられている。
【００３８】
グループ番号は、既述の通りであり、管理するグループを識別するための番号である。設定条件は、関連付けられた環境関連情報を提供する、乾球温度、グローブ温度及び時間等に基づく条件である。環境関連情報は、乾球温度及びグローブ温度に基づいて得られる環境に関連する情報である。
【００３９】
図７に示すように、例えばグループ番号“Ｇ０００１”（個人）には、設定条件としてメッセージ“乾球温度が所定温度以上、かつ、グローブ温度が所定温度以上”、及び“グローブ温度−乾球温度が所定温度以上”の２つが設定されており、これらに関連付けられた環境関連情報として、“〜様の住居内の温度が所定温度以上です。お気をつけ下さい。”及び“冷房を少し低めに設定して下さい。”がそれぞれ設定される。また、例えばグループ番号“Ｇ００１１”（グループ）には、設定条件として、“所定時間毎、かつ、乾球温度及びグローブ温度がそれぞれ所定範囲内及び所定温度以上（以下）”が設定されており、これに関連付けられた環境関連情報として、データ“場所及び当該場所が快適な環境か否かを示す情報”が設定される。なお、環境関連情報は、これらのメッセージ及びデータだけではなく、現在計測している及び過去に計測した乾球温度及びグローブ温度等の種々の情報を含むようにすることが可能である。
【００４０】
次に、図８を参照して提供先記憶部１９について説明する。提供先記憶部１９は、環境関連情報を提供する提供先を記憶する。
【００４１】
図８に示すように、提供先記憶部１９には、グループ番号を記憶するフィールド１９１と、提供先のアドレスを記憶するフィールド１９２とが設けられている。
【００４２】
グループ番号は上記の通りである。提供先のアドレスは、設定条件が満たされた場合に、環境関連情報を提供するアドレスである。
【００４３】
例えば、図８に示すように、グループ番号“Ｇ０００１”には、その提供先アドレスとして、ユーザの２つのアドレス（ＰＣ２２，携帯情報端末８）が記憶されている。したがって、図７に示す設定条件が満たされた場合、当該２つのアドレスに対して、設定条件に関連付けられた環境関連情報がウェブサーバ３から提供される。
【００４４】
次に、図９を参照してＣＰＵ１１が実行する処理（プログラム）について説明する。図９に示すように、ＣＰＵ１１は、計測情報記憶部１７に記憶される乾球温度及びグローブ温度、並びに時計部１４が生成する日時情報等を監視し（Ｓ１０１）、設定条件を満たしたグループがあるか否かを判断する（Ｓ１０２）。設定条件を満たすグループがないと判断した場合（Ｓ１０２：ＮＯ）、ＣＰＵ１１は計測情報記憶部１７に記憶される乾球温度及びグローブ温度、並びに時計部１４が生成する日時情報等を監視する処理を続行する（Ｓ１０１）。
【００４５】
一方、設定条件を満たすグループがあると判断した場合（Ｓ１０２：ＹＥＳ）、ＣＰＵ１１は、設定条件記憶部１８を参照し、当該設定条件と関連付けられた環境関連情報を取得し（Ｓ１０３：環境関連情報取得手段）、提供先記憶部１９を参照し、当該環境関連情を提供する提供先アドレスを取得する（Ｓ１０４）。
【００４６】
次に、ＣＰＵ１１は、取得した環境関連情報を、取得した提供先のアドレスに対してインターネット１を介して提供（送信）し（Ｓ１０５：提供手段）、ステップＳ１０１の処理へ戻る。これにより、設定条件が満たされた場合に、予め登録されたユーザに対して環境関連情報が提供される。
【００４７】
以上のように構成されたウェブサーバ３によると、温度に基づく環境変化に対応してユーザが快適に過ごすための環境関連情報を提供することができる。具体的には、住居内に設置された温度計測装置２３から定期的に又は所定のタイミング毎に取得する２つの温度（乾球温度及びグローブ温度）を利用して住居内の体感温度を正確に判断することが可能になる。これにより、体感温度に基づいてユーザが快適に過ごすための環境関連情報をユーザに提供することが可能になる。さらに、温度計測装置２４を住居外にも設置しているため住居外の環境を考慮することができ、さらに正確な環境関連情報を提供することが可能になる。
【００４８】
また、環境関連情報は予め登録された提供先に提供することになるが、当該提供先は計測情報を取得した温度計測装置２３，２４とグループ番号“Ｇ０００１”を介して関連付けられている。このため、例えば、親子の双方のアドレスを提供先と登録しておけば、住居内の温度が所定温度より高くなった場合に、「〜様の住宅内が所定温度以上です。お気を付け下さい。」という環境関連情報を、親子の双方に提供することができる。このメッセージを受け取ることにより、親が年老いている場合に、子が親の環境を気遣うことが可能になる。
【００４９】
また、ウェブサーバ３は、設定条件を自由に設定することが可能である。このように設定条件を自由に設定できるため、温度計測装置２３等を設置する設置場所等に応じて環境関連情報を取得する条件を変更できる。
【００５０】
さらに、図４に示すように、温度計測装置２３，２４は、温度・湿度計測部３１及びグローブ温度計測部３２が近傍となるように配置されているため、同一空間の乾球温度及びグローブ温度を同時に計測することができるので、この空間の温度状況を精度よく把握することができる。
【００５１】
なお、上記第１の実施の形態では、乾球温度、グローブ温度及び時間を設定条件として用いているが、湿度も設定条件の中に加えても良い。また、グループ属性が個人の場合に、ウェブサーバ３が所定の提供先に提環境関連情報を供する場合を例に挙げ説明しているが、グループ属性がグループの場合も同様な処理が可能である。
【００５２】
（第２の実施の形態）
第２の実施の形態は、所定の領域内（以下、公園の敷地内の場合を説明する。）の複数の所定位置（観測地点）にそれぞれ温度計測装置が設置され、各温度計測装置で計測した計測情報に基づいて、各設置場所の環境が快適な環境にあるか否かを示す環境関連情報をユーザに提供するようにした点、及びユーザからウェブサーバ３にアクセスがあったときに当該ユーザに環境関連情報を提供する点が、第１の実施の形態と異なっている。以下では、第１の実施の形態と異なる点を中心に説明する。
【００５３】
図１０は、公園内での温度計測装置２３の設置例を示す図である。図１０に示すように、エリアＡ１は森林領域、エリアＡ２は芝生等が植えられた緑地領域、エリアＡ３は地面がアスファルトで覆われた駐車場領域とし、各エリアＡ１，Ａ２及びＡ３に温度計測装置２３が設置され、緑地領域Ａ２内の一角に設けられる管理事務所内に制御装置２１が設置される場合について説明する。また、この公園の各エリアＡ１〜Ａ３のマップ及び各エリアＡ１〜Ａ３に設置される温度計測装置２３の設置場所に関する地図情報は、ウェブサーバ３内の地図記憶部２０に記憶されている。
【００５４】
さらに、設定条件記憶部１８には、図７を参照して既述したように、所定時間毎、かつ、乾球温度及びグローブ温度がそれぞれ所定範囲内、又は所定温度以上（以下）であるかが設定される。この設定条件は、言い換えれば、乾球温度及びグローブ温度がそれぞれ何度以上何度以下であれば快適な環境となるか、何度以上（以下）であれば快適でない環境となるかを決定するための条件である。
【００５５】
具体的には、図１１に示すように、夏季（５月〜１０月）は、両温度が２５℃〜２８℃であれば快適な環境（ＧＯＯＤ）になり、３０℃以上であれば快適でない環境（ＢＡＤ）になる。また、冬季（１１月〜４月）は、両温度が１６℃から２３℃であれば快適な環境になり、１４℃以下であれば快適でない環境になるため、これらの温度が設定される。グローブ温度は風等の気候の影響を受けやすいため、グローブ温度及び乾球温度の２つの温度を利用することにより、より正確に快適な環境であるか否かを判断することが可能になる。
【００５６】
このような設定条件に基づいて、計測情報記憶部１７に計測情報が記憶（更新）される毎に、各温度計測装置２３の周囲の環境の状態が記憶部１６の所定の領域に記憶される。例えば、地図記憶部２０に地図情報と関連付けて記憶されるようにする。なお、第２の実施の形態における環境関連情報は、温度計測装置２３の設置場所及び当該設置場所の環境が快適であるか否かを示す情報に加え、現在の計測情報、所定期間内の計測情報の経時変化等も含むこととする。また、環境関連情報に含まれる情報はこれらに限られず任意に構成することが可能である。
【００５７】
さて、ウェブサーバ３には、予めユーザ登録ができるようになっており、登録済みのユーザのみが、グループ及び当該ユーザを特定するＩＤコード並びにパスワードを用いてウェブサーバ３にアクセスすることができる。なお、このように登録済みのユーザのみがアクセスできる構成は既存の構成と同様である。また、ウェブサーバ３へのアクセスを登録済みのユーザに限定せずに、登録していない一般のユーザに情報を提供するように構成することも可能である。
【００５８】
図１２はウェブサーバ３が提供するウェブページのトップページの一例を示す図である。トップページ５１には、On-do meter（ロゴ）５２、検索選択部（キーワード、住居外、住居内、温度で選ぶ、体感で選ぶ）を表示するフィールド５３等と共に、ウェブページの右上に“ログイン”が設けられている。ユーザは、ログイン後、予め登録してあるＩＤコード及びパスワードを入力し、登録済みのグループに提供される環境関連情報にアクセスする。
【００５９】
図１３は、グループ登録したユーザがログインしたときに表示されるトップページ（以下、グループトップページ）６１の一例を示す図である。グループトップページ６１には、エリアＡ１〜Ａ３にそれぞれ設置された３つの温度計測装置２３が計測した計測温度（乾球温度，グローブ温度）の経時変化を示すグラフを表示するフィールド６２、当該フィールド６２に表示されるグラフの期間を設定する期間設定部を表示するフィールド６３、現在の各温度計測装置２３の計測温度を表示するフィールド６４、公園内の地図及び当該公園内における温度計測装置の設置場所を表示するフィールド６５、比較部を表示するフィールド６６が表示される。ここで、比較部で行なわれる比較とは、第２の実施の形態においては、乾球温度とグローブ温度とによる点グラフを用いて各場所の環境を比較する場合とするが、温度計測装置２３の各設置場所での過去の計測情報との比較であっても良い。また、グループトップページ６１には、フィールド６１〜６６に表示される内容等の設定を変更する設定変更部を表示するフィールド６７が表示される。
【００６０】
ユーザは各フィールド６４〜６６の近傍に表示される詳細ボタン「詳細を見る」を入力することにより、各フィールドに表示される情報をより詳細に視認することが可能になる。例えば、地図表示のフィールド６５の近傍に位置する詳細ボタンを入力すると、図１４に示すように、公園内における温度計測装置２３の設置場所に応じて、快適／不快という情報が表示される。また、例えば、比較部のフィールド６６の近傍に位置する詳細ボタンを入力すると、図１５に示すように、乾球温度（温度）とグローブ温度（体感）との点グラフにより、駐車場、緑地、森林の各領域の環境（白丸は快適、黒丸は不快）が示される。
【００６１】
このように構成されたウェブサーバ３によると、ユーザのアクセスがあったときに、公園内の各エリアＡ１〜Ａ３に設置される温度計測装置２３の場所が快適な環境にあるか否かを当該ユーザに提供することが可能になる。これにより、ユーザはウェブサーバ３にアクセスすることにより、公園内の快適な場所を容易に視認することが可能になる。
【００６２】
なお、第２の実施の形態では、公園の敷地内を例に挙げて説明したがこれに限るものではなく、例えばアミューズメントパーク、ショッピングモール（商店街）等の広い敷地を有する場所であれば本発明を適用可能である。
【００６３】
なお、第２の実施の形態においては、グループのユーザがウェブサーバ３にアクセスして環境関連情報を取得する場合を例に挙げ説明したが、個人のユーザも同様に、ユーザ自身が所望するときに、ウェブサーバ３にアクセスし、環境関連情報の提供を受けることが可能である。
【００６４】
また、上記第１及び第２の実施の形態においては、温度計測装置２３に温度・湿度計測部３１及びグローブ温度計測部３２を設ける構成で説明したが、これに限るものではなく、温度・湿度計測装置及びグローブ温度計測装置をそれぞれ別体とし、同一空間（同一観測地点）の乾球温度及びグローブ温度を計測するように設置するようにしても良い。
【００６５】
以上、第１及び第２の実施の形態により具体例を示して本発明を説明したが、特許請求の範囲に定義された本発明の広範な趣旨および範囲から逸脱することなく、これら具体的に様々な修正及び変更を加えることができることは明らかである。
【符号の説明】
【００６６】
１・・・インターネット，３・・・サーバ，５・・・温度計測システム，１１・・・ＣＰＵ，１７・・・計測情報記憶部，１８・・・設定条件記憶部，１９・・・提供先記憶部，２０・・・地図記憶部，２１・・・制御装置，２３，２４・・・温度計測装置，３１・・・温度・湿度計測部，３２・・・グローブ温度計測部，６１・・・グループトップページ
【図１】
2014052698.tif 000003
【図２】
2014052698.tif 000004
【図３】
2014052698.tif 000005
【図４】
2014052698.tif 000006
【図５】
2014052698.tif 000007
【図６】
2014052698.tif 000008
【図７】
2014052698.tif 000009
【図８】
2014052698.tif 000010
【図９】
2014052698.tif 000011
【図１０】
2014052698.tif 000012
【図１１】
2014052698.tif 000013
【図１２】
2014052698.tif 000014
【図１３】
2014052698.tif 000015
【図１４】
2014052698.tif 000016
【図１５】
2014052698.tif 000017